(57)【要約】【課題】改良された接合工具、特に、接合される部分をいわゆる障壁に対してより近接させることが可能な接合工具を提供する。【解決手段】超音波ワイヤ接合用の接合工具に、ナイフを設け、このナイフは、ワイヤ接合部分の直後の突出した部分を切断するために、長手方向に移動可能となるように、この接合工具へ挿入配置されるか、あるいはこの接合工具に密接して並置される。【選択図】　図１
2004025309.tif 000002
【特許請求の範囲】
【請求項１】
超音波ワイヤ接合用の接合工具であって、
接合部分の直後の突出したワイヤ部分を切断するために、ナイフ（３）が、長手方向に移動可能となるように、当該接合工具（５；５’　）に挿入されるか又は当該接合工具（５；５’　）に密接して設けられることを特徴とする接合工具。
【請求項２】
接合ウェッジ（５；５’　）に、凹部（５．１’　）と、前記ナイフを縦方向に案内するために前記接合ウェッジ（５；５’　）の長さの少なくとも一部に亘って延びた側面案内の側壁（５．２’　）とを、設けたことを特徴とする請求項１記載の接合工具。
【請求項３】
前記ナイフ（３）は、ひだ状に折り曲げられたナイフホルダ（９）上に載置され、該ナイフホルダの折り曲げられた構成は、当該接合工具及び前記ナイフが、互いに干渉せずに動作可能となるように、当該接合工具の形状及び工具保持部（１）又はトランスデューサの形状に適合していることを特徴とする請求項１又は２記載の接合工具。
【請求項４】
前記ナイフ（３）は、ネジ又はプラグ接続（７）により前記ナイフホルダに対して取り付けられ、特に、その取付位置が調整可能となるように取り付けられていることを特徴とする請求項３記載の接合工具。
【請求項５】
前記ナイフ（３）は、当該接合工具（５；５’　）を駆動するトランスデューサに向かう側に挿入されていることを特徴とする請求項１乃至４のいずれかに記載の接合工具。
【請求項６】
前記ナイフ（３）は、当該接合工具（５；５’　）を保持するトランスデューサから離れた側に挿入されていることを特徴とする請求項１乃至４のいずれかに記載の接合工具。
【請求項７】
前記ナイフホルダ（９）は、開口（９ａ）を備えており、前記トランスデューサから離反するように、当該接合工具（５；５’　）の縦方向に延びる平面を越えた点へと突出した保持部（１ａ）が、前記開口（９ａ）を貫通していることを特徴とする請求項３乃至６のいずれかに記載の接合工具。
【請求項８】
太いワイヤの接合機であって、請求項１乃至７のいずれかに記載の接合工具を備えたことを特徴とする接合機。
【発明の詳細な説明】
【０００１】
【発明の属する技術分野】
本発明は、ワイヤの超音波接合用の接合工具に関するとともに、この接合工具を太いワイヤの接合機に適用したもの、すなわち、このような工具を備えたワイヤの接合機に関する。
【０００２】
【従来の技術】
以下において、「接合工具」なる用語は、狭義には超音波エネルギー及び圧縮力を、超音波処理により接合されるワイヤへと伝達する要素（接合「ウェッジ」とも称される）を示すために用いられる。また、この用語は、広義にはこのような工具をナイフと組み合わせたものにも用いられる。そのナイフは、接合されたワイヤから突出した部分を切除するために、工具へ挿入されているか、あるいは、工具に対して密接して設けられる。
【０００３】
従来の太いワイヤの接合機では、圧力及び接合エネルギーを伝達するための接合工具本体（より具体的には、いわゆる「ウェッジ（ｗｅｄｇｅ）」）と、接合されたワイヤを切断する縦方向動作可能なナイフとは、別々の工具である。これらは、構造上の理由から、接合ヘッド上にて、横方向に互いに所定の間隔をあけて配置されている。
【０００４】
【発明が解決しようとする課題】
特に、接合が、いわゆる「障壁（ｗａｌｌ）」の前でなされるときに、このような配列により問題が生じる。なお、障壁とは、基板、構造部材等で垂直に立ち上がった部分のことである。特に、別体のナイフが、接合されたワイヤにおける実際の接合部分を越えて延びた端部を切除するために挿入可能となるように、このような障壁と接合部分との間に、最低限の間隔が維持される必要がある。
【０００５】
そこで、改良された接合工具を利用可能とすることを、本発明の課題とする。特に、この接合工具は、接合される部分をいわゆる障壁に対してより近接させることを可能にするものである。
【０００６】
【課題を解決するための手段】
上記課題は、特許請求の範囲における請求項１の特徴を備えた接合工具により解決される。本発明の概念を更に有利に発展させたものは、従属項にて明らかとなる。
【０００７】
更に、本発明には、提案された接合工具を太いワイヤの接合機に適用したものが含まれる。
【０００８】
本発明には、接合工具本体とナイフとの間隔を実質的に短くする基本的な概念が、組み込まれている。なお、従来では、接合工具本体とナイフとの最低限の間隔は、個別の構成要素としてのそれらの構成により規定されていた。更に、本発明には、この目的のために、ナイフを接合工具本体（ウェッジ）へ挿入可能、あるいは、少なくともそこに密接可能とする概念が、組み込まれている。
【０００９】
【発明の実施の形態】
本発明の更なる利点及び有用な特徴は、以下の具体例としての好適な実施形態を図面を参照して説明することにより明らかとなる。
【００１０】
図１には、本発明の第１実施形態による接合ヘッドの工具保持部１が示されている。ここで、ナイフ３が、長手方向に移動可能となるように、接合ウェッジ５へと、工具取付手段及びトランスデューサ（図示せず）から離反した側に挿入されている。ナイフ３は、その位置が調整可能となるように、ナイフホルダ９に対して固定ネジ７により取り付けられている。接合ウェッジ５は、ナイフ３が両側面にて突起に囲まれるように構成されたＵ字形のワイヤガイド５ａを有する。ナイフ３が接合ウェッジ５の長手方向に動くときに、接合ウェッジ５の適切な形状により、側面の案内がなされる。図２Ｂ及び図３を参照されたい。
【００１１】
ナイフホルダ９は、その基本的形状がほぼ矩形であり、長手方向においてひだ状に折り曲げられていて、その中央領域にスロット状の開口９ａが形成されている。この開口９ａは、工具保持部１の突起１ａを収容している。なお、突起１ａは、接合ウェッジ５の長手平面を越えて延びている。このようにして、ナイフ３は、接合ウェッジ５に密接して摺動することにより、工具保持部１に対して、支障なく動作可能となっている。
【００１２】
図２Ａ及び図２Ｂに、接合ウェッジ５’　が示されている。この接合ウェッジ５’の形状は、図１に対応した実施形態における形状とやや異なっており、断面図（図２Ａ）及び斜視図（図２Ｂ）の双方にて示されている。既知の接合ウェッジに対する改良は、縦長の凹部５．１’　を設けたことにある。この凹部５．１’　は、接合ウェッジ５’　の中央部にあって、側壁がない。これに対し、接合ウェッジ５’　の先端に近い部分では、ガイドとして機能する２つの側壁５．２’　により、規制がなされる。これら側面案内の側壁５．２’　は、ナイフ３を縦方向に案内する案内部を形成する。
【００１３】
図３には、既に図１に示されたように構成されたナイフ３と、図２Ａ及び図２Ｂに示された接合ウェッジ５’　とを備えた第２の工具保持部１’　が、示されている。ここでは、ナイフ３及びナイフホルダ９の形状が、図１よりも明瞭に示されている。この実施形態では、ナイフ３は、接合ウェッジ５’　における工具保持部１及びトランスデューサに向いた側の表面に沿って案内される。このように、ナイフホルダ９は、クランプ状固定部９ｂで、接合ウェッジ５’　を取り囲んでいる。なお、ナイフ３を定位置に保つ固定ネジ７が、クランプ状固定部９ｂへと捩じ込まれている。
【００１４】
図１及び図３による両実施形態では、接合ウェッジとナイフとの位置関係が、ある意味で逆転しており、これら両実施形態のいずれかが、個々の適用例に伴う個別の接合形状に応じて、適宜用いられればよい。どちらの場合であっても、接合部分を、基板の上方へ延びた部分又は要素（上述の障壁）に対して、近接配置することが可能となるので、基板表面が、より効率的に利用されるようになる。
【００１５】
【発明の効果】
以上のように構成された本発明の超音波ワイヤ接合用の接合工具によると、接合部分を、基板の上方へ延びた部分又は要素に対して、近接配置することが可能となるので、基板表面を、より効率的に利用できるようになる。
【図面の簡単な説明】
【図１】本発明の第１実施形態の斜視図である。
【図２】（Ａ）は接合工具（狭義）の特定の構造例を示す断面図、（Ｂ）は接合工具（狭義）の特定の構造例を示す斜視図である。
【図３】本発明の他の実施形態の斜視図である。
【符号の説明】
１　　　　工具保持部
１ａ　　　突起
３　　　　ナイフ
５；５’　　接合ウェッジ
５ａ　　　ワイヤガイド
５．１’　　　凹部
５．２’　　　側面案内の側壁
７　　　　固定ネジ
９　　　　ナイフホルダ
９ａ　　　開口
９ｂ　　　固定部
【図１】
2004025309.tif 000003
【図２】
2004025309.tif 000004
【図３】
2004025309.tif 000005